(57)【要約】【課題】ふとん乾燥機に使用されるエアーマットにおいて、乾燥状態にムラが生じないようにしたふとん乾燥機のエアーマットを提供することを目的とする。【解決手段】エアーマット１へのホース接続口に温風を溜めるマフラー部２を設け、このマフラー部２からエアーマット１内部に温風を供給するという構成を有する。これにより、エアーマット１へのホース接続方向によって生じる空気の流れをマフラー部２で均一化してからエアーマット１に供給することとなり、エアーマット１に供給される温風の流れが偏ることが抑制されることとなるので、温風の流れが偏ることによる乾燥ムラを抑制し、安定した乾燥性能を得ることができる。【選択図】図１
2013202252.tif 000002
【特許請求の範囲】
【請求項１】
ホース接続口を備えた袋形状のエアーマットと、このエアーマットの前記ホース接続口側に温風を溜めるマフラー部を設け、このマフラー部から前記エアーマット内部に温風を供給するふとん乾燥機のエアーマット。
【請求項２】
円筒形状したガイドを前記マフラー部から前記エアーマット内部に延長して設け、風向を調整する請求項１のふとん乾燥機のエアーマット。
【請求項３】
風向を２つに分けるような仕切りとなるように前記ガイドをマフラー部からエアーマット内部に設け、風向を調整する請求項１のふとん乾燥機のエアーマット。
【請求項４】
前記マフラー部から前記エアーマット内部に温風を供給する開口部に、風圧によって球状に膨らむ網目状袋を設け、風向を調整する請求項１のふとん乾燥機のエアーマット。
【請求項５】
前記エアーマットの前記ホース接続口にネットを設け必要以上にホースを挿入できないようにするふとん乾燥機のエアーマット。
【発明の詳細な説明】
【技術分野】
【０００１】
本発明は、ふとん乾燥機に使用されるエアーマットに関するものである。
【背景技術】
【０００２】
従来、この種のふとん乾燥機のエアーマットは、角に開口部を設け、ホースの接続口とする構成としたものが知られている（例えば、特許文献１参照）。
【０００３】
以下、そのふとん乾燥機のエアーマットについて図６を参照しながら説明する。
【０００４】
図６に示すように、ふとん乾燥機は本体１０１とホース１０２からなり、温風をホースより供給する。また、エアーマット１０３はホース接続用の開口部１０４を角に備えることにより２方向に本体を設置できる構成としている。
【０００５】
また、この種のふとん乾燥機のエアーマットには、ファスナーを設け、ホース接続口の位置を自由に設定できる構成としているものもある（例えば、特許文献２参照）。
【０００６】
以下、そのふとん乾燥機のエアーマットについて図７を参照しながら説明する。
【０００７】
図７に示すように、エアーマット１０５はファスナー１０６を備えることによりホース接続口の位置を自由に設定できる構成となり、３方向に本体を設置できる構成としている。
【０００８】
また、この種のふとん乾燥機のエアーマットにはホースの接続口を複数設けているものもある（例えば、特許文献３参照）。
【０００９】
以下、そのふとん乾燥機のエアーマットについて図８を参照しながら説明する。
【００１０】
図８に示すように、エアーマット１０７はホース１０２の第１接続口１０８と第２接続口１０９を備えることによりホース接続口の位置を２方向に本体を設置できる構成としている。
【先行技術文献】
【特許文献】
【００１１】
【特許文献１】実開昭５５−４３８６８号公報
【特許文献２】実開昭５５−３０６７８号公報
【特許文献３】実開平５−１３３９６号公報
【発明の概要】
【発明が解決しようとする課題】
【００１２】
このような従来のふとん乾燥機のエアーマットにおいては、ホースの取り付け方向によってエアーマット内に流入する温風が偏って流れる構成となっていたので乾燥しやすい部分としにくい部分が生じ、乾燥状態にムラが生じるという課題を有していた。
【００１３】
そこで本発明は、上記従来の課題を解決するものであり、乾燥状態にムラが生じないようにしたふとん乾燥機のエアーマットを提供することを目的とする。
【課題を解決するための手段】
【００１４】
そして、この目的を達成するために、本発明は、エアーマットへのホース接続口に温風を溜めるマフラー部を設け、このマフラー部からエアーマット内部に温風を供給するものであり、これにより所期の目的を達成するものである。
【００１５】
また、本発明は、エアーマットのホース接続部にネットを設け必要以上にホースを挿入できないようにするものであり、これにより所期の目的を達成するものである。
【発明の効果】
【００１６】
本発明によれば、エアーマットへのホース接続口に温風を溜めるマフラー部を設け、このマフラー部からエアーマット内部に温風を供給するという構成にしたことにより、エアーマットへのホース接続方向によって生じる空気の流れをマフラー部で均一化してからエアーマットに供給することとなり、エアーマットに供給される温風の流れが偏ることが抑制されることとなるので、温風の流れが偏ることによる乾燥ムラを抑制し、安定した乾燥性能を得ることができる。
【００１７】
また、円筒形状したガイドをマフラー部からエアーマット内部に延長するという構成にしたことにより、エアーマットへの流入に方向性を持たせることで温風の流れを安定させることとなるので、温風の流れが偏ることによる乾燥ムラを抑制し、安定した乾燥性能を得ることができる。
【００１８】
また、風向を２つに分けるような仕切りとなるようにガイドをマフラー部からエアーマット内部に設けるという構成にしたことにより、エアーマットへの流入を左右方向に分流させることで温風の流れを安定させることとなるので、温風の流れが偏ることによる乾燥ムラを抑制し、安定した乾燥性能を得ることができる。
【００１９】
また、マフラー部からエアーマット内部に温風を供給する開口部に、風圧によって球状に膨らむ網目状袋をに設けるという構成にしたことにより、エアーマットへの流入を発散させることで温風の流れを安定させることとなるので、温風の流れが偏ることによる乾燥ムラを抑制し、安定した乾燥性能を得ることができる。
【００２０】
また、本発明によれば、エアーマットのホース接続部にネットを設け必要以上にホースを挿入できないようにするという構成にしたことにより、ホースの挿入位置が安定することとなり、ホースの挿入位置がばらつくことによって生じるエアーマットに供給される温風の流れの偏りが抑制されることとなるので、温風の流れが偏ることによる乾燥ムラを抑制し、安定した乾燥性能を得ることができる。
【図面の簡単な説明】
【００２１】
【図１】本発明の実施の形態１のふとん乾燥機のエアーマットを示す構成図（（ａ）エアーマットの平面図、（ｂ）エアーマットの仕切り部を示す図）
【図２】本発明の実施の形態２のふとん乾燥機のエアーマットを示す構成図
【図３】本発明の実施の形態３のふとん乾燥機のエアーマットを示す構成図
【図４】本発明の実施の形態４のふとん乾燥機のエアーマットを示す構成図
【図５】本発明の実施の形態５のふとん乾燥機のエアーマットを示す構成図
【図６】従来のふとん乾燥機のエアーマットを示す構成図
【図７】従来のふとん乾燥機のエアーマットを示す構成図
【図８】従来のふとん乾燥機のエアーマットを示す構成図
【発明を実施するための形態】
【００２２】
本発明の請求項１記載のふとん乾燥機のエアーマットは、エアーマットへのホース接続口に温風を溜めるマフラー部を設け、このマフラー部からエアーマット内部に温風を供給するという構成を有する。これにより、エアーマットへのホース接続方向によって生じる空気の流れをマフラー部で均一化してからエアーマットに供給することとなり、エアーマットに供給される温風の流れが偏ることが抑制されることとなるので、温風の流れが偏ることによる乾燥ムラを抑制し、安定した乾燥性能を得るという効果を奏する。
【００２３】
また、円筒形状したガイドをマフラー部からエアーマット内部に延長して設けるという構成にしてもよい。これにより、エアーマットへの流入に方向性を持たせることで温風の流れを安定させることとなるので、温風の流れが偏ることによる乾燥ムラを抑制し、安定した乾燥性能を得るという効果を奏する。
【００２４】
また、風向を２つに分けるような仕切りとなるようにガイドをマフラー部からエアーマット内部に設けるという構成にしてもよい。これにより、エアーマットへの流入を左右方向に分流させることで温風の流れを安定させることとなるので、温風の流れが偏ることによる乾燥ムラを抑制し、安定した乾燥性能を得るという効果を奏する。
【００２５】
また、マフラー部からエアーマット内部に温風を供給する開口部に、風圧によって球状に膨らむ網目状袋をに設けるという構成にしてもよい。これにより、エアーマットへの流入を発散させることで温風の流れを安定させることとなるので、温風の流れが偏ることによる乾燥ムラを抑制し、安定した乾燥性能を得るという効果を奏する。
【００２６】
また、エアーマットのホース接続部にネットを設け必要以上にホースを挿入できないようにするという構成にしてもよい。これにより、ホースの挿入位置が安定することとなり、ホースの挿入位置がばらつくことによって生じるエアーマットに供給される温風の流れの偏りが抑制されることとなるので、温風の流れが偏ることによる乾燥ムラを抑制し、安定した乾燥性能を得るという効果を奏する。
【００２７】
以下、本発明の実施の形態について図面を参照しながら説明する。
【００２８】
（実施の形態１）
図１に示すように、エアーマット１は、長方形の袋形状で、一方短辺側には、ファスナー１０６を設けている。このファスナー１０６は、コの字形状に伸び、長方形のエアーマット１の一方側短辺と、この短辺から両長辺側の一部まで伸びた位置に設けている。このファスナー１０６には、２つのスライダーを備え、これらのスライダーの間が開口し、この開口がホース接続口となる。これにより、ホース接続口は、スライダーを移動させることにより、ファスナー１０６上を移動可能である。
【００２９】
エアーマット１内には、長方形のエアーマット１の一方短辺側の空間と、他方短辺側の空間とを仕切る仕切り部３を備えている。この仕切り部３には開口部４が設けられている。ここで、一方短辺側の空間、つまり、エアーマット１のホース接続口側の空間がマフラー部２である。このマフラー部２の体積、つまり一方短辺側の空間の体積は、他方短辺側の空間の体積より小さいものである。
【００３０】
ふとん乾燥機からの温風が、エアーマット１のホース接続口からエアーマット１内へ送風されると、まず、エアーマット１と仕切り部３によって囲まれたマフラー部２内に温風が流れ込む。このマフラー部２内に温風を一旦溜めることができる。次に、マフラー部２内に溜まった温風が、この開口部４を通り、マフラー部２から他方短辺側の空間であるエアーマット１内部に温風が供給される。なお、このエアーマット１は繊維を編んだ布であるため網目から外部へと温風が抜けるように構成されている。
【００３１】
これにより、エアーマット１へのホース接続方向によって生じる空気の流れをマフラー部２で均一化してからエアーマット１に供給することとなり、エアーマット１に供給される温風の流れが偏ることが抑制されることとなるので、温風の流れが偏ることによる乾燥ムラを抑制し、安定した乾燥性能を得ることができる。
【００３２】
また、仕切り部３は、略横長四角形状の垂直面で、中央に円形の孔である開口部４を備えている。仕切り部３の水平方向の両端の高さは、中央の高さより小さいものである。１例として、仕切り部３の上端である長辺は、上方へ凸状の円弧形状で、仕切り部３の下端である長辺は、下方へ凸状の円弧形状である。
【００３３】
すなわち、ふとん乾燥機からの温風が、エアーマット１のホース接続口からエアーマット１内へ送風されエアーマット１が膨らむと、仕切り部３では、中央である開口部４でのエアーマット１内の風路高さは、仕切り部３の水平方向の両端でのエアーマット１内の風路高さより大きいので、マフラー部２内に溜まった温風が、この開口部４から他方短辺側の空間であるエアーマット１内部に流れ易くなる。
【００３４】
（実施の形態２）
図２において、図１と同様の構成要素については同一の符号を付し、その詳細な説明は省略する。
【００３５】
図２に示すように、円筒形状したガイド５をマフラー部２からエアーマット１内部に延長して設ける。これにより、エアーマット１への流入に方向性を持たせることで温風の流れを安定させることとなるので、温風の流れが偏ることによる乾燥ムラを抑制し、安定した乾燥性能を得ることができる。
【００３６】
（実施の形態３）
図３において、図１と同様の構成要素については同一の符号を付し、その詳細な説明は省略する。
【００３７】
図３に示すように、風向を２つに分けるような仕切りとなるように分岐ガイド６をマフラー部２からエアーマット１内部に設ける。これにより、エアーマット１への流入を左右方向に分流させることで温風の流れを安定させることとなるので、温風の流れが偏ることによる乾燥ムラを抑制し、安定した乾燥性能を得ることができる。
【００３８】
（実施の形態４）
図４において、図１と同様の構成要素については同一の符号を付し、その詳細な説明は省略する。
【００３９】
図４に示すように、マフラー部２からエアーマット１内部に温風を供給する開口部に、風圧によって球状に膨らむ網目状のメッシュ袋７を設ける。これにより、エアーマット１への流入を発散させることで温風の流れを安定させることとなるので、温風の流れが偏ることによる乾燥ムラを抑制し、安定した乾燥性能を得ることができる。
【００４０】
（実施の形態５）
図５は、エアーマット１のホース接続口にネット状のメッシュストッパー８を設け、必要以上にホースを挿入できないようにする。これにより、ホース１０２の挿入位置が安定することとなり、ホース１０２の挿入位置がばらつくことによって生じるエアーマット１に供給される温風の流れの偏りが抑制されることとなるので、温風の流れが偏ることによる乾燥ムラを抑制し、安定した乾燥性能を得ることができる。
【産業上の利用可能性】
【００４１】
本発明にかかるふとん乾燥機のエアーマットは、乾燥ムラを抑制し、安定した乾燥性能を得ることを可能とするものであるので、ふとん乾燥機に使用されるエアーマット等として有用である。
【符号の説明】
【００４２】
１  エアーマット
２  マフラー部
３  仕切り部
４  開口部
５  ガイド
６  分岐ガイド
７  メッシュ袋
８  メッシュストッパー
【図１】
2013202252.tif 000003
【図２】
2013202252.tif 000004
【図３】
2013202252.tif 000005
【図４】
2013202252.tif 000006
【図５】
2013202252.tif 000007
【図６】
2013202252.tif 000008
【図７】
2013202252.tif 000009
【図８】
2013202252.tif 000010